(57)【要約】【課題】ケース本体に複層ガラス側壁を装着した冷温蔵ショーケースについて、熱損失の低減、並びに保温,保冷性能の改善が図れるように側壁の構造を改良する。【解決手段】ケース本体１の庫内を上下の室に区分けしてＨＯＴ室とＣＯＬＤ室を画成し、そのケース本体の左右端面に内外二重のガラス板４ａと４ｂとの間に空気を封入した複層ガラスからなる側壁４を備えた冷温蔵ショーケースにおいて、  ケース本体のＨＯＴ室とＣＯＬＤ室との間を仕切る庫内の仕切棚５に位置を合わせて、前記複層ガラス側壁の内部に中仕切スペーサ４ｆを設けて封入空気層をＨＯＴ室，ＣＯＬＤ室と個々に対応する領域に分離して封入空気の熱対流発生を防止する。さらに、複層ガラス側壁の庫内側ガラス板４ａに熱線反射フィルム１２を貼り付けて側壁の断熱性向上を図る。【選択図】        図１
2005241164.tif 000002
【特許請求の範囲】
【請求項１】
ケース本体の庫内を上下の室に区分けしてホット室とコールド室を画成した冷温蔵しショーケースであって、前記ケ-ス本体の左右端面に内外二重のガラス板の間に空気を封入した複層ガラスからなる側壁を備えたものにおいて、
ケース本体のホット室とコールド室との間を仕切る庫内の仕切棚に位置を合わせて、前記複層ガラス側壁の内部に中仕切スペーサを設けて封入空気層をホット室，コールド室と個々に対応する領域に分離したことを特徴とする冷温蔵ショーケース。
【請求項２】
請求項１に記載のショーケースおいて、複層ガラス側壁の庫内側ガラス板に熱線反射フィルムを貼り付けたことを特徴とする冷温蔵ショーケース。
【請求項３】
請求項１に記載のショーケースにおいて、複層ガラス側壁の周縁に固定具兼用の外枠を設けたことを特徴とする冷温蔵ショーケース。
【発明の詳細な説明】
【技術分野】
【０００１】
本発明は、店舗に据え付けて陳列商品を冷蔵，温蔵する多段式の冷温蔵ショーケースに関し、詳しくはそのケース本体の左右側面に装着した複層ガラス側壁の構造に係わる。
【背景技術】
【０００２】
頭記の冷温蔵ショーケースとして、箱形ケース本体の庫内を上下の室に区分けしてホット室とコールド室を画成し、ケース本体の左右両端面には複層ガラス構造の側壁を備えた構成のオープンショーケースが知られている（例えば、特許文献１参照）。
【０００３】
次に、上記構成になる冷温蔵ショーケースの構造を図２（ａ），（ｂ）に示す。図において、１は箱形断熱筐体になるケース本体、１ａは内箱、２は冷凍機のコンデンシングユニット３を内蔵したケース基台、４はケース本体１の左右側面に取り付けてケース端面を閉塞した側壁、５は庫内空間を上部側のＨＯＴ室と下部側のＣＯＬＤ室とに仕切る庫内の仕切棚、６はＨＯＴ室，ＣＯＬＤ室の室内に配した商品陳列棚、７はＣＯＬＤ室に対応して内箱背後の冷気循環路に配した商品保冷用の冷却器（冷凍機のエバポレータ）、８は庫内ファン、９はＨＯＴ室の棚６に付設した商品加熱用のホットプレートである。
【０００４】
ここで、前記側壁４は二枚の透明ガラス板の間に乾燥空気を封入した複層ガラス側壁であり、その構造を図３（ａ），（ｂ）に示す。図において、４ａは庫内側のガラス板、４ｂは庫外側のガラス板、４ｃは側壁４の周縁に沿ってガラス板４ａと４ｂとの間に介挿したスペーサ、４ｄはシール材、４ｅは外枠である。また、（ａ）図で示すようにガラス板にはケース本体１の断面輪郭に対応した部分に不透明なマスキング（図中のハッチング部分）を施し、透明部分を通して側方から庫内を透視できるようにしている。なお、図示のスペーサ４ｃは中空体で、内部に乾燥剤を充填して封入空気を乾燥状態に保つようにしている。また、側壁４をケース本体１に取り付けるには、別部品の固定枠１０を介して側壁４の上下端をケース本体１の天井板および基台２の側面にボルト１１により固定する。
【特許文献１】特開２００２−１６８５５４号公報
【発明の開示】
【発明が解決しようとする課題】
【０００５】
ところで、図３に示した従来構造の複層ガラスを冷温蔵ショーケース（図２参照）のケース側壁に採用すると、次記のような問題が生じる。
【０００６】
すなわち、図３（ｂ）で表すように側壁４の上半部はＨＯＴ室に，下半部はＣＯＬＤ室に面していることから、ショーケースの運転時には複層ガラスの中に封入した空気層がＨＯＴ室（例えば、室温５０±５℃），ＣＯＬＤ室（例えば、５±３℃）からの伝熱により、上半部では封入空気が暖められ、下半部では逆に空気が冷やされる。その結果、二枚のガラス板４ａと４ｂの間に封入した空気層に熱対流（矢印Ａ）が生じ、この熱対流によってＨＯＴ室とＣＯＬＤ室との間に熱貫流が生じて庫内の保温，保冷性能が低下してショーケースの熱損失が増加する。
【０００７】
本発明は上記の点に鑑みなされたものであり、その目的は前記課題を解決して熱損失の低減、保温，保冷性能の改善が図れるように複層ガラス側壁の構造を改良した冷温蔵ショーケースを提供することにある。
【課題を解決するための手段】
【０００８】
上記目的を達成するために、本発明によれば、ケース本体の庫内を上下の室に区分けしてホット室とコールド室を画成し、そのケ-ス本体の左右端面に内外二重のガラス板の間に空気を封入した複層ガラスからなる側壁を備えた冷温蔵ショーケースにおいて、
ケース本体のホット室とコールド室との間を仕切る庫内の仕切棚に位置を合わせて、前記複層ガラス側壁の内部に中仕切スペーサを設けて封入空気層をホット室，コールド室と個々に対応する領域に分離する（請求項１）。
【０００９】
また、本発明によれば、前記構成の複層ガラス側壁を次記のような態様で構成することができる。
（１）複層ガラスの庫内側ガラス板に熱線反射フィルムを貼り付けて側壁の断熱性能の向上化を図る（請求項２）。
（２）複層ガラス側壁の周縁に固定具兼用の外枠を設けて側壁の取り付け部品削減化を図るようにする（請求項３）。
【発明の効果】
【００１０】
上記構成のように複層ガラス側壁の内部に中仕切スペーサを設けて封入空気層をホット室，コールド室と個々に対応する領域に分断することにより、従来構造で問題となっていた封入空気層の温度差による熱対流が抑止され、この熱対流に起因する熱損失の増加を抑えて庫内の保冷，保温性能を向上できる。
【００１１】
また、複層ガラス側壁の庫内側ガラス板に熱線反射フィルムを貼り付けた請求項２の構成によれば、庫内／側壁間の断熱性が向上する。さらに、複層ガラス側壁の周縁に固定具兼用の外枠を設けた請求項３の構成を採用することにより、側壁をケース本体に取り付ける固定部品を削減できる。
【発明を実施するための最良の形態】
【００１２】
以下、本発明の実施の形態を図１（ａ），（ｂ）に示す実施例に基づいて説明する。なお、実施例の図中で図３に対応する部材には同じ符号を付してその説明は省略する。
【００１３】
すなわち、図示実施例においては、複層ガラス構造になる側壁４について、ガラス板４ａと４ｂとの間の中段位置に中仕切スペーサ４ｆが新たに追加されている。この中仕切スペーサ４ｆは、ケース本体１の庫内に配してＨＯＴ室トＣＯＬＤ室との間を仕切る仕切棚５に高さを合わせて複層ガラスの内部に封入した空気層を本体ケース１のＨＯＴ室，ＣＯＬＤ室と個々に対応する領域に分断している。また、庫内側のガラス板４ａの内面には熱反射フィルム１２を貼り付けている。さらに側壁４の外枠４ｅの上下端部には、図３に示した固定枠１０の機能を持たせるように取付フランジ４ｅ−１が一体に形成されている。
上記の構成によれば、複層ガラスの内部に封入した空気層が中仕切スペーサ４ｆを境にＨＯＴ室に対応する上方の領域とＣＯＬＤ室に対応する下方の領域とに分離されているので、ショーケースの運転時に庫内のＨＯＴ室，ＣＯＬＤ室からガラス板４ａを介して封入空気層に伝熱しても、図３で述べたような空気の温度差による熱対流が生じない。
【００１４】
また、庫内に面したガラス板４ａに熱反射フィルム１２を貼り付けておくことにより、庫内／複層ガラス間の熱透過が抑制され、ケ-ス側壁としての断熱性能が向上する。
【００１５】
さらに、複層ガラス側壁４の外枠４ｅに取付フランジ４ｅ−１を一体形成しておくことにより、側壁４を本体ケース１に装着する際には、取付フランジ４ｅ−１をケース本体１の天井板，および基台２の側面にボルト１１で直接固定することができ、図３の従来構造と比べて取り付け部品の点数削減化が図れる。
【図面の簡単な説明】
【００１６】
【図１】本発明実施例の構成図で、（ａ）はケース本体に装着した複層ガラス側壁の縦断正面図、（ｂ）は（ａ）矢視Ｘ−Ｘ断面図
【図２】冷温蔵ショーケース全体の構成図で、（ａ）は正面図、（ｂ）は縦断側面図
【図３】図２における複層ガラス側壁の従来構造図で、（ａ）は側面図、（ｂ）はケース本体に装着した状態を表す縦断正面図
【符号の説明】
【００１７】
１    ケース本体
４    複層ガラス側壁
４ａ，４ｂ    ガラス板
４ｃ  スペーサ
４ｄ  仕切材  
４ｅ  外枠
４ｅ−１  取付フランジ
１２    熱反射フィルム
【図１】
2005241164.tif 000003
【図２】
2005241164.tif 000004
【図３】
2005241164.tif 000005